(57)【要約】靴（１００）は、特に足首の損傷を予防するのに役立つ運動靴は、地面係合面（１０２）を有するソール（１０２）と、外側接続部および内側接続部（１１０、１１２）にそれぞれ関する外側縁部および内側縁部（１０６、１０８）とを備え、外側接続部および内側接続部（１１０、１１２）は地面係合面（１０４）と外側縁部および内側縁部（１０６、１０８）との間に相互接続して延びている。少なくとも１つの接続部（１１０、１１２）には摩擦低減表面エリア（１１４、１１６）が画定され、摩擦低減表面エリア（１１４、１１６）は、例えば後付けされるパッチという形で提供され、比較的に高い摩擦係数を有する隣接表面エリア（１０３、１０５、１０７）に囲まれている。よって、靴のこれらの損傷機構に関する、かつ、異なるエリアの摩擦係数が異ならせれば、損傷後の回復段階での損傷を予防することができ、一次予防が達成できる。着用者の身体の荷重が靴（１００）の縁部（１０６、１０８）へ移すまたは靴（１００）の縁部（１０６、１０８）の近くに下ろされる時に、摩擦低減表面エリア（１１４、１１６）は着用者の足が地面に対して回転する力を低減する。【選択図】図1
2018518326.tif 000002
【特許請求の範囲】
【請求項１】
地面係合面を有するソールと、
外側縁部、および、前記ソールの前記地面係合面と前記外側縁部との間に相互接続して延びている外側接続部と、
内側縁部、および、前記ソールの前記地面係合面と前記内側縁部との間に相互接続して延びている内側接続部と、を備える靴であって、
少なくとも１つの前記接続部には摩擦低減表面エリアが画定され、前記摩擦低減表面エリアは、周囲が前記接続部、前記縁部および／または前記地面係合面との隣接表面エリアに囲まれており、第１摩擦係数を有し、
前記第１摩擦係数は前記各周囲の表面エリアの摩擦係数より低い、靴。
【請求項２】
前記摩擦低減表面は前記外側接続部に設けられている、請求項１に記載の靴。
【請求項３】
前記摩擦低減表面は少なくとも前記靴の中足部から前記靴の先端へ延びている、請求項１または２に記載の靴。
【請求項４】
前記靴の爪先部から前記靴の踵部への長さを測定する場合、前記摩擦低減表面は前記靴の長さの５％と９５％との間に延びている、請求項１〜３のいずれかの１項に記載の靴。
【請求項５】
前記靴は人間の足にフィットし、前記摩擦低減表面は、少なくとも前記足の第５中足骨の骨頭を覆う程度で、前記接続部のエリアを覆う、請求項２〜５のいずれかの１項に記載の靴。
【請求項６】
前記摩擦低減表面は前記内側接続部に設けられている、請求項１に記載の靴。
【請求項７】
ＩＳＯ１３２８７：２０１２規格に基づいて、前記摩擦低減エリアの表面を試験靴のソールに取り付け、潤滑剤を使わずに前部における後滑りを用いることによって試験する場合、前記第１摩擦係数は０．５より小さい、請求項１〜６のいずれかの１項に記載の靴。
【請求項８】
ＩＳＯ１３２８７：２０１２規格に基づいて、前記摩擦低減エリアの表面を試験靴のソールに取り付け、潤滑剤を使わずに前部における後滑りを用いることによって試験する場合、各前記周囲の表面エリアの摩擦係数は０．５５より大きい、請求項１〜７のいずれかの１項に記載の靴。
【請求項９】
前記摩擦低減表面エリアは前記靴の少なくとも一部の前記ソールおよび一部の前記縁部と一体的に形成されている、請求項１〜８のいずれかの１項に記載の靴。
【請求項１０】
前記摩擦低減表面エリアは、前記靴の少なくとも一部の前記ソールおよび一部の前記縁部に後付けされるパッチによって付与される、請求項１〜９のいずれかの１項に記載の靴。
【請求項１１】
前記パッチは積層構造を備え、前記積層構造は、少なくとも接着層と、前記摩擦低減表面エリアを提供する対向面層と、を備える、請求項１０に記載の靴。
【請求項１２】
前記パッチの少なくとも上縁部は複数の湾入部を備える、請求項１０または１１に記載の靴。
【請求項１３】
靴を着用している人間の足首の損傷を予防するために、前記靴に後付けされるパッチであって、前記パッチは、
外側縁部、および、前記ソールの前記地面係合面と前記外側縁部との間に相互接続して延びている外側接続部と、
内側縁部、および、前記ソールの前記地面係合面と前記内側縁部との間に相互接続して延びている内側接続部と、の少なくとも１つに取り付けられ、
前記靴の隣接表面エリアに囲まれた限定表面エリアは前記靴に付与され、ＩＳＯ１３２８７：２０１２規格に基づいて、前記摩擦低減エリアの表面を試験靴のソールに取り付け、潤滑剤を使わずに前部における後滑りを用いることによって試験する場合、前記限定表面エリアは０．５より小さい摩擦係数を有する、パッチ。
【請求項１４】
地面に対して人間の足のアンバランスな動きが発生する時に前記靴と地面との間の滑りを促進するように、請求項１〜１３のいずれかの１項に記載の靴を人間に提供して前記靴を人間の足に取り付けるステップを備える、人間の足首の損傷を予防する方法。
【発明の詳細な説明】
【技術分野】
【０００１】
本発明は、一般的には足首の損傷のリスクを低減するように仕立てられた靴に関し、典型的には運動靴（スポーツシューズ、sports shoe）に関する。本発明は、足首の損傷を予防する観点から現有の靴をバックフィット（back-fitting）するためのパッチにも関する。さらに、本発明は、靴を着用している人間の足首の損傷を予防する方法に関する。
【背景技術】
【０００２】
運動において、足首の損傷は損傷全体の１５〜３０％を占めていると推定されている。アメリカにおいて毎日２３,０００件の損傷も起ると思われている。アメリカにおいて捻挫および挫き（strain）の平均治療費用は２２９４ドルである（政策と立案の長官補事務局の調査要約２０１４年３月号（ASPE Issue Brief, March 2014）より）。これらの数値および最も多くの足首の損傷が捻挫と挫きであるという推測に基づくと、推定された足首の損傷の治療費用合計は３０〜６０億ドルに達する。この費用は損傷によって失った生産性を含んでおらず、特に専門的で高収入の運動選手に対しては非常に大きな損失であり、物理的な活動が必要とする仕事をしている全ての人に対して社会的なレベルが非常に高い損失でもある。オランダにおいて外側足首捻挫に関する治療費用合計は１８７,２００,０００ユーロと概略的に推定される（米国スポーツ雑誌２０１０年１１月第３８巻第１１回第２１９４−２２００ページ（Am J Sports Med November 2010 vol. 38 no. 11 2194-2200）より）。これらの費用は足首の損傷を予防するよい手段というニーズを示す。
【０００３】
推定上、捻挫した運動選手の７０〜８０％は捻挫を繰り返す。機能的な足首不安定性および捻挫は、以前急性損傷したことがある運動選手の約１０〜６０％に再発する。これらの患者において、再損傷（re-injury）を起こす機構の一因は、足底屈曲（flexion）３０度／足底反曲（inversion）２０度における足首関節の位置の誤知覚（erroneous sensation）であり、着地する時に関節がさらに足底屈曲または足底反曲される可能性があるため、外側の歪みのリスクが発生する。
【０００４】
典型的に、足首の損傷は、反曲／回外運動および足底屈曲の動きにおいて足首が制御されずに捻れる時に発生する。これは外側の捻挫（歪み）を生じる同時、骨折も頻繁に起こる。捻挫は程度の差はあっても踵腓靭帯と前距腓靭帯に傷害をもたらし、前脛腓靭帯、関節包、周囲の軟組織にも傷害をもたらす可能性がある。
【０００５】
損傷は、筋肉を強化させて神経筋協調性および反射能力を増進させる物理療法で処理されるのが最適である。大部分の患者において、４ヶ月の治療を受けた後、損傷した足首と損傷していない足首との間に差異がないまたは小さいと測定されることができる。損傷はテーピングまたは半硬質保護帯（semi rigid braces）で処理されることもできるが、その２つの方法とも、特に繰り返される損傷に対して限られた支持を提供することと着用者に対して動きの自由度が下がるという著しい制限を有する。また、運動の期間が変化した後テープの抑制効果は失う（米国スポーツ雑誌２０１０年１１月第３８巻第１１回第２１９４−２２００ページ）。
【０００６】
靴の設計の観点から見ると、運動損傷の予防は今までは一般的には、靴の安定性の増加、足への支持の増進、および靴の防滑性の改善に注目している。しかしながら、過去の努力にもかかわらず、特に足首と膝に対して、運動損傷の発生を低減することに貢献するという靴の更なる改良のニーズが見つけられた。
【発明の概要】
【０００７】
上述した背景で、本発明の第１態様は、地面係合面を有するソールと、外側縁部（lateral edge）、および、ソールの地面係合面と外側縁部との間に相互接続して延びている外側接続部と、内側縁部、および、ソールの地面係合面と内側縁部との間に相互接続して延びている内側接続部と、を備える靴であって、少なくとも１つの接続部には摩擦低減表面エリアが画定され、低摩擦低減表面エリアは、周囲が接続部、縁部および／または地面係合面の隣接表面エリアに囲まれており、第１摩擦係数を有し、第１摩擦係数は各周囲の表面エリアの摩擦係数より低い靴を提供する。
【０００８】
第２態様において、本発明は、靴を着用している人間の足首の損傷を予防するために、靴に後付けされるパッチであって、パッチは、外側縁部、およびソールの地面係合面と外側縁部との間に相互接続して延びている外側接続部と、内側縁部、およびソールの地面係合面と内縁部との間に相互接続して延びている内側接続部と、の少なくとも１つに取り付けられ、靴の隣接表面エリアに囲まれた限定表面エリアは靴に付与され、ＩＳＯ１３２８７：２０１２規格に基づいて、摩擦低減エリアの表面を試験靴のソールに取り付け、潤滑剤を使わずに前部における後滑りを用いることによって試験する場合、限定表面エリアは０．５より小さい摩擦係数を有する、パッチを提供する。
【０００９】
第３態様において、本発明は、地面に対して人間の足のアンバランスな動きが発生する時に前記靴と地面との間の滑りを促進するように、本発明の第１態様に係る靴を人間に提供して前記靴を人間の足に取り付けるステップを備える、人間の足首の損傷を予防する方法を提供する。
【００１０】
本開示において、損傷は、靱帯結合破裂（syndemosis rupture）、脱臼、挫きおよび骨折を含む捻挫を含むが、捻挫に限られていないと理解されるべきである。損傷は骨軟骨病変（osteochondral lesions）を含んでもよいことも理解されるべきである。
【００１１】
本開示において、地面係合面は、靴の着用者がまっすぐに立てて両足に同じ重量をかける時に地面と係合する靴の一部であると理解されるべきである。地面係合面は、着用者が飛ぶ、着地する、転身するなどの動き中に靴が地面と係合する部分と異なってもよい。
【００１２】
本開示において、縁部は、地面係合面および接続部から離れる方向に接続部から延びており、地面係合面に対して横方向に延びており、すなわち、地面係合面に対して平行でない方向に延びていると理解されるべきである。
【００１３】
一般的に、摩擦は、平面と、地面係合面および靴の外側縁部または内側縁部に相互接続している靴の外側接続部または内側接続部との間で低減される。この摩擦の低減は、不測の状態またはアンバランスの状態で足が地面と相互作用する着地または他の動きの間に、例えば、足が他方の足を踏んだり足が地面に対して不適正に位置したりする時に、地面に接触する足で最も多く起こる捻挫である足首捻挫の予防の要である。さらに、摩擦低減エリアが地面と接触している時に、摩擦低減エリアは靴の可動性（mobility）を増加するため、靴が地面に対して望ましくない位置に残ることを防止する。むしろ、靴は自身の下の表面に対して平行に滑ることができるため、足の更なる反曲ならびに足および足首の結合組織への運動エネルギーの伝達が回避される。さらに、靴の縁部において低減された摩擦は靴の側面に表面に対して滑りやすくさせることができるため、ねじりが発生しても、エネルギーが伝達されて反転トルクが組織に対する損傷を回避するまたは低減するには十分に低くくさせる。
【００１４】
靴の外側接続部または内側接続部に設けられた、すなわち、靴の外側縁部または内側縁部に設けられた摩擦低減表面エリアは、上述した接続部および縁部での単独点（isolated spots）において靴と地面との間の滑りを増進することを提供する。よって、靴のこれらの損傷機構に関する、かつ、異なるエリアの摩擦係数が異なる。損傷後に増えたリスクを有する長期間に渡って損傷を予防することができ、リスクが高い運動における一次予防が達成できる。慢性足首不安定性を抱える患者にも本発明から長い生活に受益できるのであろう。
【００１５】
特に、着用者の身体の荷重が靴の縁部へ移すまたは靴の縁部の近くに下ろされる時に、摩擦低減エリアによって着用者の足が地面に対する過回転のリスクを予防するまたは著しく低減できる。したがって、地面に対する回転よりも、靴そして着用者の足は表面へのグリップ力を失いやすくなり、よって靴および足は滑る。その結果、摩擦低減の地面係合エリアにおいてグリップ力が失うことによって着用者は殆どの事故で転ぶ。しかしながら、アンバランスまたは制御されていない着用者の足の動きに渡って荷重が押しつけられている場合に、靴はグリップ力を維持するままであれば、着用者が転がる時に普通の損傷のリスクは、足首損傷のリスクより著しく低下している。さらに、摩擦低減エリアは、靴の他の固定された外側縁部の周りに回転がないために追加されたベクタに起因する、高くて横向に突出しているバスケット靴において運動エネルギーが増えることを回避する。接続部に設けられた摩擦低減エリアは、着用者の足が地面に対する過回転のリスクを低減することに特に関係する。なぜならば、着用者の足が地面に対する回転に渡って、接続部が地面と係合する可能性は靴の縁部より高いためである。こと特徴は、着用者の足の長さ方向に延びる回転軸の周りの過回転に起因する損傷のリスクを低減することに特に関連できる。
【００１６】
足首関節の内側に対する歪みが外側に対する歪みと比べると稀であるため、外側接続部に設けられた摩擦低減エリアは最も重要である。しかしながら、外側の歪みの機構は内側の歪みに適用されてもよい。
【００１７】
一般的に、靴の着用者が加速したい着用者の加速度は、地面係合面を有するソールと表面との間の摩擦によって生じることができる。本発明は地面係合面のいかなる摩擦特性も僅かにしか変更していないため、靴の着用者が地面に対する加速または停止をする能力が変わらない。それは、摩擦低減エリアは、着用者がバランスを取れていない限り著しい荷重を受けない外側接続部または内側接続部に設けられるためである。
【００１８】
本発明の複数の実施例において、摩擦低減エリアは靴の外側接続部に設けられているが、外側接続部および内側接続部ともに設けられてもよく、代替的に内側接続部に設けられてもよい。ここで配置に関して注意すべきなのは、明示的に述べない限り、摩擦低減エリアの範囲または効果は外側接続部および内側接続部に同様に適用される。
【００１９】
摩擦低減エリアは好ましくは少なくとも靴の中足部から靴の先端へ、すなわち、靴の爪先部へ、延びており、それは靴の前方部分が足首損傷の予防に関して最も重要なためである。本発明の１つの実施例において、靴の延伸長さに沿って、特に靴の外側接続部に沿って望ましい低摩擦特性を提供するために、靴の爪先部から靴の踵部への長さを測定する場合、摩擦低減エリアは靴の長さの５％と９５％との間に延びている。最も重要な摩擦低減エリアは、靴の爪先部から靴の踵部への長さを測定する場合、靴の長さの２０％と５０％との間に延びている。しかしながら、延びたエリアは損傷の予防に、主に足首損傷の予防に関連することが既に見つけられる。歪みの初期機構と殆ど関わらないが、靴が滑り始まってから摩擦しなおすことを回避するために、摩擦低減エリアは、靴の後部まで延びてもよく、すなわち、靴の爪先部から靴の踵部への長さを測定する場合、靴の長さの６０％と１００％との間のエリアまでに、特に靴の長さの６０％と９５％との間のエリアまでに延びてもよい。さらに、靴の後部に設けられた摩擦低減エリアは１つの足が他方の足の前方に捻れる時に生じる荷重に特に関連でき、それは、この場合において捻れている足の後部が他の部分より早く地面と係合するためである。
【００２０】
摩擦低減エリアが靴の長さ方向に沿った延伸は、靴の形状および／または靴の縁部の剛性（stiffness）に基づいてもよい。その上方から観察すると直線を画定する靴においは、摩擦低減エリアが、靴の外側接続部および／または内側接続部および／または外側縁部および／または内側縁部の少なくとも１つに設けられてもよい。この場合、靴の外側縁部および／または内側縁部の一部が、靴に沿って特定な延伸における直線のように画定される時に、靴においては摩擦低減エリアが接続部および／または靴の特定な延伸に沿った靴の縁部に設けられてもよい。こうすると、摩擦低減エリアは増えうる過回転に渡って地面と接触させるため、着用者の足の過回転に関する損傷のリスクをさらに低減することができる。
【００２１】
靴の爪先部における摩擦低減は、この前方エリアで靴への早期衝撃の機構に起因して靴の後部が地面に係合する前に既に生じた不安定な反曲からもたらす頻繁な損傷を予防するために、特に重要とされてもよい。
【００２２】
１つ以上の摩擦低減エリアは、外側接続部と内側接続部の１つに設けられていてもよく、各外側接続部と各内側接続部に設けられていてもよい。例をあげると、１つ目の摩擦低減エリアは靴の前方１０％の長さに設けられていてもよく、例えば、靴の長さの５％から１０％に延びた区域、かつ、その靴の外側接続部であるところに設けられていてもよく、同時に、２つ目の摩擦低減エリアは、靴の長さの２０％から３０％に延びた区域、かつ、その靴の外側接続部であるところに設けられていてもよい。さらに、または、代替的に、摩擦低減エリアは例えば以下のように設けられていてもよい：第１エリアが靴の長さの５％と６０％との間に延びたエリアに設けられており、第２エリアが靴の長さの６５％と９５％との間に延びたエリアに設けられている。
【００２３】
靴が人間の足に対して仕立てられてもよいため、摩擦低減エリアは少なくとも足の第５中足骨の骨頭を覆う程度で、接続部のエリアを覆い、すなわち、靴の爪先部から靴の踵部への長さを測定する場合において靴の長さの約４０％のところを覆ってもよい。好ましくは、第５中足骨の程度の付近のエリアも覆う。ここは足の外側の主要な体重支持エリアなので、有害な程度の運動エネルギーが周囲組織および足首関節への移転に対する予防には特に重要である。
【００２４】
靴は、脚（leg）部が着用者の膝から着用者の踵の最遠端までの距離の３分の１までに延びるように、足（foot）部と脚部を画定してもよい。この場合において、この靴は運動靴として利用されるのに対して特に適することができ、それは、靴の着用者が運動を行うように十分な肢体可動性（limb mobility）を許すためである。本開示において、足部は、靴において着用者の足を包囲する部分であることが理解されるべきである。脚部は、靴において、着用者の膝から最も遠い着用者の踵の表面と、靴の着用者の膝に最寄りの部分との間に垂直に延びた部分であることが理解されるべきである。このように、靴の足部と脚部とは重なる。
【００２５】
本開示において、運動靴は、様々な形式の室内および／または室外の運動活動、例えば、サッカー、バスケットボール、バレーボール、ハンドボール、フロアボール、テニス、バドミントン、ダンス、卓球、フィットネスなどを携わる時に、着用するのに適した靴であると理解されてもよい。このような靴はアスレチックシューズ（athletic shoe）とも呼ばれている。
【００２６】
靴は、脚部が着用者の足における最も長い直線の長さの１．２５倍までに延びるように、足部と脚部を画定してもよい。よって、足部の高さは、最大は足部の長さの１．２５倍と等しく、または、最大は足部の長さと等しく、または、足部の長さより短い。脚部の高さは好ましくは、靴のソールの底から、靴において着用者の脚を周方向に包囲する最上縁までの直線距離として測定される。このような実施例において、靴は運動靴として利用されるのに対して特に適することができ、それは、靴の着用者が運動を行うように十分な肢体可動性（limb mobility）を許すためである。本開示において、足部は、靴において着用者の足を包囲する部分であることが理解されるべきである。脚部は、靴において、着用者の膝から最も遠い着用者の踵の表面と、靴の着用者の膝に最寄りの部分との間に垂直に延びた部分であることが理解されるべきである。このように、靴の足部と脚部とは重なる。着用者の足における最も長い直線の長さは通常は、着用者が立つ時に地面と平行している、着用者の爪先（足指）の最遠端から踵の最遠端までの距離である。
【００２７】
摩擦低減エリアは靴における周囲エリアと面一となってもよい。言い換えると、摩擦低減エリアは靴の周囲エリアから突出していないように配置されてもよい。この場合において、靴の形状は、摩擦低減エリアを除ければ靴のあるべき形状と実質的に同様であってもよい。これらの実施例に係る靴は、摩擦低減エリアに望ましくない突出が形成されていないため、運動靴として利用されるのに特に有益に適することができる。このような望ましくない突出は、ユーザが運動を行う時に、当該突出と他の人間との間の衝撃の有害な効果を増加する可能性がある。
【００２８】
本発明の実施例において、ＩＳＯ１３２８７：２０１２規格に基づいて、摩擦低減エリアの表面を試験靴のソールに取り付け、潤滑剤を使わずに前部における後滑りを用いることによって試験する場合、第１摩擦係数は、好ましくは０．５より小さく、さらに好ましくは０．４より小さく、さらに好ましくは０．３より小さい。ＩＳＯ１３２８７：２０１２規格に基づいて、摩擦低減エリアの表面を試験靴のソールに取り付け、潤滑剤を使わずに前部における後滑りを用いることによって試験する場合、各周囲の表面エリアの摩擦係数は０．５５より大きい。
【００２９】
本発明の複数の実施例に基づいて、摩擦低減エリアの異なる部分は異なる第１摩擦係数を有する。この特徴は損傷をさらに予防することができる。例えば、靴の縁部と地面との間の摩擦係数は、接続部と地面との間の摩擦係数より低くてもよい。この特徴は、接続部と地面との間の比較的に大きい摩擦係数が着用者に地面に対してより大きく加速させる、靴の縁部が地面と係合する時に滑りをさらに促進することができ、損傷をさらに予防することができる。摩擦は摩擦低減エリアにおいて段階的に変化してもよい。異なる第１摩擦係数は複数の材料および／または異なる程度の材料被覆によって提供されてもよい。異なる程度の材料被覆は提供されてもよいので、靴の地面係合面の近くの材料被覆の程度が最小であり、地面係合面との距離の増加につれて増加することができる。
【００３０】
摩擦低減エリアは少なくとも２つの層を備える積層構造によって形成されてもよく、低減された摩擦はその少なくとも２つの層の間に設けられていてもよい。この場合において、複数の層は互いに対して比較的に移動しやすくてもよい。この実施例に基づいて、摩擦低減エリアは、靴と地面との界面に設けられておらず、積層構造の２つの層の間に設けられている。よって、低減された摩擦は靴と係合される地面の自然環境と関係なく得られる。したがって、より多用途の靴が本実施例によって提供される。この特徴は室外スポーツで靴を利用するのに特に有益である。これらの層は全部靴の表面と平行する方向に延びてもよい。各層は連続的であってもよく穴があけられてもよい。
【００３１】
層を互いに動かすことは特定な機械的エネルギー障壁を超える必要があることがあり、すなわち、層の互いの移動を開始させるには特定な初期力が必要とされる。この初期力は少なくとも２つの層の間で結合手段を加えることによって提供できる。このような結合手段は、例えば、繊維、ポリマーまたは綿からなる糸、層の端縁に沿って提供された結合材料の集合などであってもよい。
【００３２】
摩擦低減表面エリアは、靴と一体的に形成されてもよく、例えば、少なくとも１つの靴のソールおよび／または靴の前述縁部と一体的に形成されてもよく、または、現有の靴の少なくとも１つのソールおよび１つの前述縁部に後付けされるパッチによって設けられてもよい。摩擦低減エリアは、摩擦低減エリアを設けられうる材料で靴を塗布することによって、例えば、靴の関連部分をスプレー塗布することによって、設けられてもよい。靴の塗布はテンプレートを附加することによって行われてもよい。こうすると、摩擦低減エリアを設けるプロセスを簡易化することができる。このような塗布の例としてはペルフルオロポリエーテル塗布またはシリコン塗布が挙げられる。潤滑剤も前述エリアで靴の摩擦特性を低減するのに適用されてもよい。このような潤滑剤は二硫化モリブデン（ＭｏＳ２）を備えてもよい。
【００３３】
ここで開示および特許請求をするパッチは、積層構造を備えてもよく、積層構造は、少なくとも接着層と、摩擦低減表面エリアを提供する対向面層と、を備えてもよい。バッキングフィルムは、例えば、剥離ライナーは、潤滑剤とともにさらに提供されてもよい。パッチを大部分の靴の双曲線形状に一致させるために、パッチの少なくとも上縁部は複数の湾入部を備え、湾入部はしわを寄せずにパッチ材料をつけさせる。
【００３４】
ここで開示および特許請求をするパッチにおいては、摩擦低減エリアを提供する対向面層はポリテトラフルオロエチレン（ＰＴＦＥ）の最外層を含んでもよい。ＰＴＦＥはいかなる固体に対しても最小の摩擦係数を有するものの１つであると知られている。対向面層に利用できる材料の他の例としては様々な形式のポリエチレンが挙げられ、例えば、ＨＤポリエチレンおよび超高分子量ポリエチレン（ＵＨＭＷ−ＰＥ）、フッ素系ポリマーまたはシリコン系ポリマーおよびワックスである。他の熱可塑性ポリマーまたは熱硬化性ポリマーは靴およびパッチの両方にも利用できる。最外層は、最外層に対向の表面にあるシリコン系接着剤を有することが可能なキャリア材料の上に設けられてもよい。さらに、パッチが靴に対する接着性を促進するために、パッチは最外層と靴との間に位置する両面テープ部材を含んでもよい。この両面テープはポリプロピレンフィルムキャリアとホットメルト合成ゴム接着剤から構成されてもよい。代替的に、両面テープはティッシュペーパーキャリアとホットメルト合成ゴム接着剤から構成されてもよい。追加の代替的な合成物は布キャリアとゴム接着剤である。接着剤はシリコン、アクリル、または、ホットメルト接着剤もしくは感圧性接着剤形式のいかなる他の適した接着剤を備えてもよい。
【００３５】
ＰＴＦＥは、ＰＴＦＥに対向の表面にあるシリコン系接着剤を有することが可能なキャリア材料に設けられてもよい。さらに、パッチが靴に対する接着性を促進するために、パッチは部材に覆われたＰＴＦＥと靴との間に位置する両面テープ部材を含んでもよい。この両面テープはポリプロピレンフィルムキャリアとホットメルト合成ゴム接着剤から構成されてもよい。代替的に、両面テープはティッシュペーパーキャリアとホットメルト合成ゴム接着剤から構成されてもよい。追加の代替的な合成物は布キャリアとゴム接着剤である。接着剤はシリコン、アクリル、または、ホットメルト接着剤もしくは感圧性接着剤形式のいかなる他の適した接着剤を備えてもよい。
【００３６】
同様な表面材料は摩擦低減エリアが靴と一体的に形成される場合にも適用できる。
【００３７】
代替的な実施例において、摩擦低減エリアは１つまたは複数のストリップの形式で設けられてもよく、ストリップは、例えば、金属材料から製造されまたは金属材料で表面被覆され、または、プラスチック材料から、例えば、前述した材料の１つから製造されてもよい。その１つまたは複数のストリップはポリエチレンを備えてもよい。この場合において、ポリエチレンが比較的に高い剛性および平滑度を有する可能性があるため、靴は室外のスポーツに特によく適することができる。
【００３８】
もう１つの代替的な実施例において、摩擦低減エリアは複数の回転可能要素、例えば球体、の形式で設けられてもよく、回転可能要素は部分的に靴に埋め込んで靴に支持されてもよい。このような回転可能要素は、改良された能力を有する摩擦低減エリアを提供することができ、すなわち、靴の長い利用期間に渡ってエリアはその低減された摩擦を維持する促進された能力を有することができる。
【００３９】
摩擦低減エリアは多方向摩擦を起こすように配置されてもよく、すなわち、異なる方向に対しては異なる摩擦係数を有してもよい。摩擦低減エリアは、第１方向に対して測定する時に１つの摩擦係数を定義し、第２方向に対して測定する時に第２の摩擦係数を定義してもよい。第１方向は靴の着用者の踵と足指との間に延びる線と平行する方向であってもよく、第２方向は靴の着用者の踵と膝との間に延びる線と平行する方向であってもよい。着用者が望ましい特定な種類の移動に対して十分な摩擦を提供するため、この特徴は靴の着用者に対する損傷のリスクを減らすことができる。多方向摩擦は設けられた摩擦低減エリアによって提供してもよく、摩擦低減エリアは、例えば、優先的に特定な方向に曲がる繊維の最外層、特定な方向に波状となる繊維の最外層、特定な方向に異なる分子構造などを有する。
【図面の簡単な説明】
【００４０】
以下、添付図面を参照しながら本発明の好ましい実施例を詳細に説明される。
【図１】本発明に係る靴の実施例の第１考察を示す。
【図２】本発明に係る靴の実施例の第２考察を示す。
【図３】図１および２の靴を着用者の足に取り付けていることを示す。
【図４】本発明に係るパッチの第１実施例を示す。
【図５】本発明に係るパッチの第２実施例を示す。
【図６】本発明に係るパッチの代替的な実施例を示す。
【図７】本発明に係るパッチを備える靴の実施例を示す。
【図８】本発明に係る靴における様々な配置を大体表現する。
【図９】本発明に係る靴の更なる実施例を示す。
【図１０】本発明に係るパッチの代替的な実施例を示す。
【図１１】本発明に係るパッチの代替的な実施例を示す。
【図１２】本発明に係るパッチの代替的な実施例を示す。
【図１３】本発明に係るスケールされたパッチの代替的な実施例を示す。
【発明を実施するための形態】
【００４１】
添付図面の図１〜３および７は、地面係合面１０４を有するソール１０２と外側縁部１０６および内側縁部１０８とを備える靴１００を示す。外側接続部１１０はソール１０２の地面係合面１０４と外側縁部１０６との間に相互接続して延びており、内側接続部１１２はソール１０２の地面係合面１０４と内側縁部１０８との間に相互接続して延びている。
【００４２】
摩擦低減エリア１１４、２１４および１１６、２１６は外側接続部１１０に設けられている。図１および７に示すように、摩擦低減エリアはその外側縁部１０６の長さの一部が延びており、摩擦低減エリアがソール１０２の地面係合面１０４から外側縁部１０６の中にかなり延びている。図１に示された実施例は、それぞれが靴の長さ方向に沿って位置する２つの摩擦低減エリア１１４、１１６を備える。摩擦低減エリア１１４、１１６の周囲は靴１００の隣接表面エリア１０３、１０５、１０７に囲まれており、隣接表面エリア１０３、１０５、１０７は摩擦低減エリア１１４、１１６の摩擦係数より高い摩擦係数を定義する。図７に示された実施例において、摩擦低減エリア２１４、２１６はさらに靴１００の内側縁部１０８に設けられている。
【００４３】
摩擦低減エリア１１４、２１４および１１６、２１６は靴１００の残る部分と一体的に形成されてもよく、または、摩擦低減エリア１１４、２１４および１１６、２１６は現有の靴に後付可能なパッチ１１５、２１５、１１７、２１７の形式で設けられていてもよい。図４、５、１０、１１、１２および１３に示すように、パッチ１１５、２１５、１１７、２１７は湾入部１１８を備え、湾入部１１８はパッチを靴の輪郭形状に一致させ、しわを寄せずにつけることができる。図６、１１、１２は本発明に係るパッチ１１５、１１７の代替的な実施例を示す。
【００４４】
図８は本発明に係る靴における様々な配置を大体表現する。図８ａは靴のソール１０２を示し、靴の先端部１５０から靴の踵部２５０への長さを測定する場合において靴の長さＬの０％と１００％との間を表現する。図８ｂの配置において、実施例は単一の摩擦低減エリア２１４のみを備え、摩擦低減エリア２１４はパッチ２１５によって前足領域の内側縁部１０８に設けられており、すなわち、靴の長さの５％と３０％との間に設けられている。図８ｃに示された代替的な実施例において、靴は、靴の長さの２％〜４０％との間および７０％〜９５％との間でそれぞれ延びている内側前足パッチ２１５と内側後足パッチ２１７を備える。図８ｄに示された更なる代替的な配置において、靴は外側縁部１０６に２つのパッチ１１５、１１７を備え、パッチ１１５、１１７は靴の長さの１０％〜２５％との間および６５％〜８５％との間でそれぞれ延びている。最後に、図８ｅの配置において、４つのパッチ１１５、１１７、２１５、２１７は、示されたように代替的な長さで延びている外側縁部１０６と内側縁部１０８に設けられている。
【００４５】
理解されるべきなのは、靴のソールおよび側面部の被覆（図１−３、７を参照）も含んだパッチの配置、破裂および延びを、特別のニーズおよび予防しようとする損傷の種類に基づいて変更してもよいことである。
【００４６】
図９は本発明に係る靴の更なる実施例を開示し、この実施例において、摩擦低減エリアは、例えば金属材料またはプラスチック材料からなる複数のストリップ２０６の形式で設けられている。プラスチック材料はポリエチレンであってもよい。
【００４７】
図１０は外側縁部１０６および内側縁部１０８いずれかの１つまたは全部に実施可能なパッチ１１５、１１７、２１５、２１７を示す。図１０の実施例において、破線ボックス２６０は複数の低湾入部２６２が配置されたエリアを表示する。したがって、パッチが本発明に係るやり方で靴につける時に、異なる程度のパッチ材料被覆が提供されるため、材料被覆の程度は靴の地面係合面の近くで最小であり、地面係合面との距離の増加につれて増加する。このように、破線ボックス２６０の中においては、靴と地面との間の摩擦が地面係合面との距離の増加につれて段階的に減少する。
【００４８】
図１３は縮尺に合わしてスケールされたパッチ１１５、１１７、２１５、２１７を示す。水平軸と垂直軸は長さが同様な任意の単位を有する。
【図１】
2018518326.tif 000003
【図２】
2018518326.tif 000004
【図３】
2018518326.tif 000005
【図４】
2018518326.tif 000006
【図５】
2018518326.tif 000007
【図６】
2018518326.tif 000008
【図７】
2018518326.tif 000009
【図８ａ】
2018518326.tif 000010
【図８ｂ】
2018518326.tif 000011
【図８ｃ】
2018518326.tif 000012
【図８ｄ】
2018518326.tif 000013
【図８ｅ】
2018518326.tif 000014
【図９】
2018518326.tif 000015
【図１０】
2018518326.tif 000016
【図１１】
2018518326.tif 000017
【図１２】
2018518326.tif 000018
【図１３】
2018518326.tif 000019
【国際調査報告】
2018518326.tif 000020
2018518326.tif 000021
2018518326.tif 000022